【手続補正書】
【提出日】平成29年8月24日(2017.8.24)
【手続補正１】
【補正対象書類名】特許請求の範囲
【補正対象項目名】全文
【補正方法】変更
【補正の内容】
【特許請求の範囲】
【請求項１】
光学的光子によってトリガされ得る１つ又は複数の画素セルを有する光検出器画素アレイと、
少なくとも１つの計時ユニットと通信するタイムスタンプトリガユニットと
を備える放射線検出デバイスであって、
前記タイムスタンプトリガユニットは、前記光検出器画素アレイからの信号を受信し、更に、前記光検出器画素アレイ内の前記１つ又は複数の画素セルに関する少なくとも第１の画素セルトリガレートを決定し、
前記少なくとも第１の画素セルトリガレートは、所定の遅延期間内に、前記光検出器画素アレイ内のトリガされた画素セルの数を計算することによって決定され、
前記タイムスタンプトリガユニットは、前記光検出器画素アレイ内の前記１つ又は複数の画素セルに関する前記少なくとも第１の画素セルトリガレートに基づいて前記少なくとも１つの計時ユニットに前記所定の遅延期間の終了を示す第１のタイムスタンプを生成させる、
放射線検出デバイスにおいて、
前記第１のタイムスタンプは、前記光検出器画素アレイ内の前記１つ又は複数の画素セルに関する第２の画素セルトリガレートに更に基づいて生成され、前記第２の画素セルトリガレートは、前記第１の画素セルトリガレートに対して後の時点で決定されることを特徴とする、
放射線検出デバイス。
【請求項２】
前記タイムスタンプトリガユニットは、前記光検出器画素アレイ内の前記１つ又は複数の画素セルに関する前記少なくとも第１の画素セルトリガレートが閾値レート値を超える場合に、前記少なくとも１つの計時ユニットに前記第１のタイムスタンプを生成させる、請求項１に記載の放射線検出デバイス。
【請求項３】
前記第１のタイムスタンプは、前記光検出器画素アレイ内の前記１つ又は複数の画素セルに関するトリガされた画素セルのカウントに更に基づいて生成され、
前記第１のタイムスタンプは、前記少なくとも第１の画素セルトリガレートが所定の画素セルトリガレート条件を満たす前に、前記トリガされた画素セルのカウントが、所定のトリガされた画素セルのカウント条件を満たす場合に生成される、
請求項１に記載の放射線検出デバイス。
【請求項４】
前記所定のトリガされた画素セルのカウント条件は、前記トリガされた画素セルのカウントが閾値カウント値を超えることであり、
前記所定の画素セルトリガレート条件は、前記少なくとも第１の画素セルトリガレートが閾値レート値を超えることであり、
前記所定の遅延期間は、前記トリガされた画素セルのカウントが前記閾値カウント値を超えるときに始まり、
それにより、前記少なくとも１つの計時ユニットは、前記トリガされた画素セルのカウントが前記閾値カウント値を超え、次いでその後、前記所定の遅延期間の終了前により高いカウント値を超え、それにより前記閾値レート値が超えられる場合に、前記第１のタイムスタンプを生成するようにされる、
請求項３に記載の放射線検出デバイス。
【請求項５】
前記少なくとも１つの計時ユニットから前記第１のタイムスタンプを受信するタイムスタンプ調節ユニットを更に備え、
前記タイムスタンプ調節ユニットは、前記第１のタイムスタンプの時点から前記所定の遅延期間を減算することによって、調節された第１のタイムスタンプを生成し、前記調節された第１のタイムスタンプは、前記所定のトリガされた画素セルのカウント条件が満たされた時点を示す、
請求項３又は４に記載の放射線検出デバイス。
【請求項６】
前記タイムスタンプトリガユニットは、前記光検出器画素アレイ内の前記１つ又は複数の画素セルに関する前記第１の画素セルトリガレートが第１の閾値レートを超え、前記光検出器画素アレイ内の前記１つ又は複数の画素セルに関する前記第２の画素セルトリガレートが第２の閾値レートを超える場合に、前記少なくとも１つの計時ユニットに前記第１のタイムスタンプを生成させる、請求項１に記載の放射線検出デバイス。
【請求項７】
少なくとも１つの第２の計時ユニットを更に備え、
前記少なくとも１つの第２の計時ユニットは、前記タイムスタンプトリガユニットと通信し、
前記タイムスタンプトリガユニットは更に、前記光検出器画素アレイ内の画素セルによる１つ又は複数の光学的光子の検出の時点を示す光子カウントタイムスタンプを前記少なくとも１つの第２の計時ユニットに生成させる、
請求項１乃至４のいずれか一項に記載の放射線検出デバイス。
【請求項８】
少なくとも１つの第２の計時ユニットを更に備え、
前記少なくとも１つの第２の計時ユニットは、前記タイムスタンプトリガユニットと通信し、
前記タイムスタンプトリガユニットは更に、前記光検出器画素アレイ内の前記１つ又は複数の画素セルに関する画素セルトリガレートが第２のトリガレート条件を満たす時点を示すトリガレートタイムスタンプを前記少なくとも１つの第２の計時ユニットに生成させる、請求項１乃至６のいずれか一項に記載の放射線検出デバイス。
【請求項９】
請求項１乃至８のいずれか一項に記載の放射線検出デバイスを複数備えるＰＥＴ撮像システムであって、
各放射線検出デバイスは、前記光検出器画素アレイと光通信するシンチレータ要素を更に備える、
ＰＥＴ撮像システム。
【請求項１０】
請求項７又は８に記載の放射線検出デバイスを複数備えるＰＥＴ撮像システムであって、
各放射線検出デバイスは、前記光検出器画素アレイと光通信するシンチレータ要素を更に備え、
ＰＥＴ撮像システムは、
相互作用深さ計算ユニットを更に備え、
前記相互作用深さ計算ユニットは、ｉ）前記第１のタイムスタンプと前記光検出器画素アレイ内の画素セルによる１つ又は複数の光学的光子の検出の時点を示す光子カウントタイムスタンプとの時間差、又はｉｉ）前記第１のタイムスタンプと前記光検出器画素アレイ内の前記１つ又は複数の画素セルに関する画素セルトリガレートが第２のトリガレート条件を満たす時点を示すトリガレートタイムスタンプとの時間差に基づいて、前記シンチレータ要素内の放射量子の相互作用深さを計算する、
ＰＥＴ撮像システム。
【請求項１１】
請求項７又は８に記載の放射線検出デバイスを複数備えるＰＥＴ撮像システムであって、
各放射線検出デバイスは、前記光検出器画素アレイと光通信するシンチレータ要素を更に備え、
前記ＰＥＴ撮像システムは、前記第１のタイムスタンプと前記第２のタイムスタンプの加重平均に基づいて、補正されたタイムスタンプを生成するタイムスタンプ補正ユニットを更に備える、
ＰＥＴ撮像システム。
【請求項１２】
ＰＥＴ撮像又はチェレンコフ撮像で使用するための計時方法であって、
光検出器画素アレイ内の１つ又は複数の画素セルのトリガを示す信号を前記光検出器画素アレイから受信するステップと、
所定の遅延期間内に、前記光検出器画素アレイ内のトリガされた画素セルの数を計算することによって、前記光検出器画素アレイ内の前記１つ又は複数の画素セルに関する少なくとも第１の画素セルトリガレートを決定するステップと、
前記光検出器画素アレイ内の前記１つ又は複数の画素セルに関する前記少なくとも第１の画素セルトリガレートに基づいて、前記所定の遅延期間の終了を示し、また、放射量子の検出も示す第１のタイムスタンプを生成するステップと
を含む、計時方法において、
前記第１のタイムスタンプは、前記光検出器画素アレイ内の前記１つ又は複数の画素セルに関する第２の画素セルトリガレートに更に基づいて生成され、前記第２の画素セルトリガレートは、前記第１の画素セルトリガレートに対して後の時点で決定されることを特徴とする、
計時方法。
【請求項１３】
光検出器画素アレイ内の１つ又は複数の画素セルのトリガを示す信号を前記光検出器画素アレイから受信するステップと、
所定の遅延期間内に、前記光検出器画素アレイ内のトリガされた画素セルの数を計算することによって、前記光検出器画素アレイ内の前記１つ又は複数の画素セルに関する少なくとも第１の画素セルトリガレートを決定するステップと、
前記光検出器画素アレイ内の前記１つ又は複数の画素セルに関する前記少なくとも第１の画素セルトリガレートに基づいて、前記所定の遅延期間の終了を示し、また、放射量子の検出も示す第１のタイムスタンプを生成するステップと
を行うためにコンピュータ実行可能命令を備える、コンピュータプログラムにおいて、
前記第１のタイムスタンプは、前記光検出器画素アレイ内の前記１つ又は複数の画素セルに関する第２の画素セルトリガレートに更に基いて生成され、前記第２の画素セルトリガレートは、前記第１の画素セルトリガレートに対して後の時点で決定されることを特徴とする、
コンピュータプログラム。
【請求項１４】
前記コンピュータ実行可能命令は、更に、
前記第１のタイムスタンプの時点から前記所定の遅延期間を減算することによって、調節された第１のタイムスタンプを生成するステップ
を行う、請求項１３に記載のコンピュータプログラム。